(57)【要約】    【課題】居室親機にて行われたエレベータコール操作により昇降される籠内の様子を視覚を通じてエレベータコール操作元の居住者に確認させることにより、防犯性および安全性が高める。    【解決手段】居室親機１１ａ、１１ｂ、・・・、１２ａ、１２ｂ、・・・、・・・からのエレベータコール操作を検出したエレベータ制御機２３およびインターホン制御機２４のうち、エレベータ制御機の呼出制御により、籠２１ａ、２１ｂをエレベータコール操作元の居室親機が在る階へと昇降させるとともに、インターホン制御機の制御により、昇降させた籠内の監視カメラ２１０にて撮像された映像を、エレベータコール操作元の居室親機および籠が到着された階のエレベータホールに設置されたホールモニタ２２ａ、２２ｂ、・・・に出画する、または昇降させた籠内の人感センサ２１１にて検知された検知結果をエレベータコール操作元の居室親機に表示する。  【選択図】図１
2006154886.tif 000002
【特許請求の範囲】
【請求項１】
来訪者が居住者との間で行う呼出機能および通話機能を有する集合玄関機（１）と、前記集合玄関機からの呼び出しに応答した前記居住者が前記来訪者との間で通話を成立させるための居室親機（１１ａ、１１ｂ、・・・、１２ａ、１２ｂ、・・・、・・・）と、前記集合玄関機および前記居室親機を制御するためのインターホン制御機（２４）と、前記居室親機からのエレベータコール操作により籠（２１ａ、２１ｂ）を前記居室親機の在る階へ呼出制御するためのエレベータ制御機（２３）と、前記籠内の映像を撮像するための監視カメラ（２１０）とを備え、
前記居室親機は、前記エレベータコール操作に連動して前記監視カメラにて撮像された映像を出画するためのモニタ（１１４）を備えたことを特徴とする集合住宅インターホンシステム。
【請求項２】
前記監視カメラは、前記インターホン制御機に接続され、前記インターホン制御機が前記居室親機からの前記エレベータコール操作を検出して能動となることを特徴とする請求項１記載の集合住宅インターホンシステム。
【請求項３】
前記籠が到着する各階のエレベータホールには、ホールモニタ（２２ａ、２２ｂ、・・・）を設置し、
前記インターホン制御機は、前記居室親機からの前記エレベータコール操作を検出して、前記エレベータコール操作を行った前記居室親機の在る階に設置された前記ホールモニタに前記監視カメラにて撮像された映像を出画する制御を行うものであることを特徴とする請求項１または請求項２記載集合住宅インターホンシステム。
【請求項４】
前記インターホン制御機は、前記居室親機からの前記エレベータコール操作を検出して所定時間経過後に前記ホールモニタに出画する制御を行うものであることを特徴とする請求項３記載の集合住宅インターホンシステム。
【請求項５】
前記ホールモニタと一体または別体に設けられ前記居住者の個人認証データが予め登録されている個人認証装置（２２０）を有し、
前記ホールモニタは、前記居室親機からの前記エレベータコール操作があってから所定時間内に前記個人認証装置にて前記居住者の個人認証が行われたときに出画することを特徴とする請求項３記載の集合住宅インターホンシステム。
【請求項６】
前記居室親機のモニタおよび／または前記ホールモニタを出画可能にできる時間帯を予め設定し、
前記インターホン制御機は、前記予め設定した時間帯に応じて前記監視カメラ、前記居室親機のモニタ、前記ホールモニタを制御するものであることを特徴とする請求項３乃至請求項５のうち何れか１項記載の集合住宅インターホンシステム。
【請求項７】
来訪者が居住者との間で行う呼出機能および通話機能を有する集合玄関機（１）と、前記集合玄関機からの呼び出しに応答した前記居住者が前記来訪者との間で通話を成立させるための居室親機（１１ａ、１１ｂ、・・・、１２ａ、１２ｂ、・・・、・・・）と、前記集合玄関機および前記居室親機を制御するためのインターホン制御機（２４）と、前記居室親機からのエレベータコール操作により籠（２１ａ、２１ｂ）を前記居室親機の在る階へ呼出制御するためのエレベータ制御機（２３）と、前記籠内の人物を検知するための人感センサ（２１１）とを備え、
前記居室親機は、前記居室親機からの前記エレベータコール操作に連動して前記人感センサからの検知結果を表示するためのモニタ（１１４）を備えたことを特徴とする集合住宅インターホンシステム。
【発明の詳細な説明】
【技術分野】
【０００１】
本発明は集合住宅インターホンシステムに係り、特に、居室親機にて行われるエレベータコール操作をもとに、籠の昇降を制御することができる集合住宅インターホンシステムに関する。
【背景技術】
【０００２】
従来から、居室親機および集合玄関機にて解錠操作を行いエレベータ（籠と同意である。）を制御することにより、このエレベータを集合玄関フロアに呼び出し、外来訪問者（来訪者と同意である。）が目的とするフロアへ早く容易に到達できるようにした集合住宅用インターホンシステムが開示されている（例えば、特許文献１を参照。）。
【０００３】
従来例の集合住宅用インターホンシステムによれば、外来訪問者がエレベータを待つ時間が減らされるばかりでなく、エレベータ内において外来訪問者がフロア指定の操作をせずとも容易に目的とするフロアに到着できる。
【０００４】
【特許文献１】特開平１１−２２５２１２号公報（段落番号０００３、０００６、０００９、００１１、図１）
【発明の開示】
【発明が解決しようとする課題】
【０００５】
しかしながら、従来例の集合住宅用インターホンシステムにおいて、解錠操作が居室親機にて行われた場合、解錠操作元の居室親機が在る階のフロアにエレベータを到達させることができる、一方、解錠操作元の居室親機では、エレベータ内の様子を確認することができず、エレベータに乗り入れた外来訪問者が招かれざる不審者等の人物であった場合、防犯性および安全性が低下する虞があった。
【０００６】
本発明は、前述の難点を解消するためになされたもので、居室親機にて行われたエレベータコール操作により昇降される籠内の様子を視覚を通じてエレベータコール操作元の居住者に確認させることにより、防犯性および安全性が高められた集合住宅インターホンシステムを提供することを目的としている。
【課題を解決するための手段】
【０００７】
前述の目的を達成するため、請求項１記載の本発明による集合住宅インターホンシステムは、来訪者が居住者との間で行う呼出機能および通話機能を有する集合玄関機と、集合玄関機からの呼び出しに応答した居住者が来訪者との間で通話を成立させるための居室親機と、集合玄関機および居室親機を制御するためのインターホン制御機と、居室親機からのエレベータコール操作により籠を居室親機の在る階へ呼出制御するためのエレベータ制御機と、籠内の映像を撮像するための監視カメラとを備えたものである。居室親機は、エレベータコール操作に連動して監視カメラにて撮像された映像を出画するためのモニタを備えたものである。
【０００８】
また、請求項２記載の本発明による集合住宅インターホンシステムは、請求項１記載の当該システムにおいて、監視カメラは、インターホン制御機に接続され、インターホン制御機が居室親機からのエレベータコール操作を検出して能動となるものである。
【０００９】
また、請求項３記載の本発明による集合住宅インターホンシステムは、請求項１または請求項２記載の当該システムにおいて、籠が到着する各階のエレベータホールには、ホールモニタを設置している。インターホン制御機は、居室親機からのエレベータコール操作を検出して、エレベータコール操作を行った居室親機の在る階に設置されたホールモニタに監視カメラにて撮像された映像を出画する制御を行うものである。
【００１０】
また、請求項４記載の本発明による集合住宅インターホンシステムは、請求項３記載の当該システムにおいて、インターホン制御機は、居室親機からのエレベータコール操作を検出して所定時間経過後にホールモニタに出画する制御を行うものである。
【００１１】
また、請求項５記載の本発明による集合住宅インターホンシステムは、請求項３記載の当該システムにおいて、ホールモニタと一体または別体に設けられ居住者の個人認証データが予め登録されている個人認証装置を有している。ホールモニタは、居室親機からのエレベータコール操作があってから所定時間内に個人認証装置にて居住者の個人認証が行われたときに出画するものである。
【００１２】
また、請求項６記載の本発明による集合住宅インターホンシステムは、請求項３乃至請求項５記載のうち何れか１項記載の当該システムにおいて、居室親機のモニタおよび／またはホールモニタを出画可能にできる時間帯を予め設定している。インターホン制御機は、予め設定した時間帯に応じて監視カメラ、居室親機のモニタ、ホールモニタを制御するものである。
【００１３】
また、請求項７記載の本発明による集合住宅インターホンシステムは、来訪者が居住者との間で行う呼出機能および通話機能を有する集合玄関機と、集合玄関機からの呼び出しに応答した居住者が来訪者との間で通話を成立させるための居室親機と、集合玄関機および居室親機を制御するためのインターホン制御機と、居室親機からのエレベータコール操作により籠を居室親機の在る階へ呼出制御するためのエレベータ制御機と、籠内の人物を検知するための人感センサとを備えたものである。居室親機は、居室親機からのエレベータコール操作に連動して人感センサからの検知結果を表示するためのモニタを備えたものである。
【発明の効果】
【００１４】
本発明の集合住宅インターホンシステムによれば、エレベータコール操作元の居住者は、自住戸内に設置された居室親機のモニタに出画されている映像、または自住戸の在る階のエレベータホールに設置されたホールモニタに出画されている映像をもとに、自住戸の在る階へと昇降させた籠内の様子、すなわち、監視カメラにて撮像された映像を当該籠を利用する前に確認することができ、籠内に不審者等の招かれざる人物が居ることを予め確認した場合には、当該籠の利用を中止でき防犯性および安全性が高められる。
【００１５】
また、本発明の集合住宅インターホンシステムによれば、エレベータコール元の居住者が自住戸の在る階のエレベータホールに到着するまでの間、籠内の監視カメラにて撮像された映像がホールモニタに出画されることを防止でき、籠内の人物、例えば、居住者や来訪者等のプライバシーが保護される。
【００１６】
また、本発明の集合住宅インターホンシステムによれば、ホールモニタに一体で設けられた個人認証装置にて、エレベータコール操作元の居住者のみが携帯している非接触キーや指紋等の個人認証データをインターホン制御機のタイマにて計時されている所定時間内に照合させ、この照合がエレベータコール操作元の居住者であると認識された場合にのみ籠内の監視カメラにて撮像された映像をホールモニタに出画させることにより、この照合／認識が行われるまでの間、籠内の監視カメラにて撮像された映像がホールモニタに出画されることを防止でき、籠内の人物、例えば、居住者や来訪者等のプライバシーが保護される。
【００１７】
また、本発明の集合住宅インターホンシステムによれば、例えば、防犯性および安全性が低いとされる深夜帯や早朝帯の時間帯のみ籠内の監視カメラへの駆動制御、居室親機のモニタおよび／またはホールモニタへの出画制御を行うことにより、防犯性および安全性が高いとされる日中帯に籠内の監視カメラにて撮像された映像が居室親機のモニタおよび／またはホールモニタに出画されることを防止でき、籠内の人物、例えば、居住者や来訪者等のプライバシーが保護される。
【００１８】
さらに、本発明の集合住宅インターホンシステムによれば、エレベータコール操作元の居住者は、自住戸内に設置された居室親機のモニタに表示されている文字や絵データ等をもとに、２階へと昇降させた籠内の人感センサにて検知された検知結果、すなわち、籠内に人物が居るか否かを当該籠を利用する前に確認することができ防犯性および安全性が高められる。
【発明を実施するための最良の形態】
【００１９】
以下、本発明の集合住宅インターホンシステムを適用した最良の実施の形態例について、図面を参照して説明する。
【００２０】
図１は、本発明の実施例による集合住宅インターホンシステムの全体構成を示すシステム説明図である。
【００２１】
図１のシステム説明図に示す集合住宅インターホンシステムは、（集合住宅の）集合玄関に設置され、複数の階毎の各住戸内に在室中の居住者のうち特定の居住者、または管理室内に在室中の管理人を来訪者が呼び出して通話を成立させるための呼出機能および通話機能を有する集合玄関機１と、（集合住宅の）複数の階毎の各住戸内にそれぞれ設置され個別のＩＤ（以下、住戸ＩＤという。）が割り当てられており、集合玄関に居る来訪者からの呼び出しが報知され、この呼び出しに応答した居住者が当該来訪者との間で通話を成立させるとともに、居住者が呼出元または呼出先である管理人との間で通話を成立させるための呼出機能および通話機能を有する（複数の）居室親機、ここでは、１階の各住戸内にそれぞれ設置された居室親機１１ａ、１１ｂ、・・・、２階の各住戸内にそれぞれ設置された居室親機１２ａ、１２ｂ、・・・、・・・と、（集合住宅の）管理室内に設置され個別のＩＤ（以下、管理室ＩＤという。）が割り当てられており、集合玄関に居る来訪者からの呼び出しが報知され、この呼び出しに応答した管理人が当該来訪者との間で通話を成立させるとともに、管理人が呼出元または呼出先である居住者との間で通話を成立させるための呼出機能および通話機能を有する管理室親機２０と、居住者や来訪者等の人物により乗り入れられる（集合住宅の）複数の階の間を昇降するための少なくとも１台の籠、ここでは、個別のＩＤ（以下、エレベータＩＤという。）が割り当てられた２台の籠２１ａ、２１ｂと、籠２１ａ、２１ｂが到着する各階のエレベータホールにそれぞれ設置され個別のＩＤ（以下、モニタＩＤという。）が割り当てられたＬＣＤ（Ｌiquid Crystal Display）、有機ＥＬ（Electro Luminescence）ディスプレイ等の（複数の）ホールモニタ、ここでは、１階のエレベータホールに設置されたホールモニタ２２ａ、２階のエレベータホールに設置されたホールモニタ２２ｂ、・・・と、各籠ラインＬ8a、Ｌ8bを介してそれぞれ接続された籠２１ａ、２１ｂ（の昇降）を呼出制御するためのエレベータ制御機２３と、玄関機ラインＬ1を介して接続された集合玄関機１、居室親機ラインＬ2を介して接続（バス接続、渡り配線接続）された（複数の）居室親機１１ａ、１１ｂ、・・・、１２ａ、１２ｂ、・・・、・・・、管理室親機ラインＬ3を介して接続された管理室親機２０、各カメララインＬ4a、Ｌ4bを介してそれぞれ接続された籠２１ａ、２１ｂ内の後述する監視カメラ２１０、各センサラインＬ5a、Ｌ5bを介してそれぞれ接続された籠２１ａ、２１ｂ内の後述する人感センサ２１１、モニタラインＬ6を介して接続（バス接続）されたホールモニタ２２ａ、２２ｂ、・・・および制御機間ラインＬ7を介して接続されたエレベータ制御機２３を（それぞれ）制御するためのインターホン制御機２４とから構成されている。
【００２２】
また、（２台の）籠２１ａ、２１ｂには、当該籠内の映像を撮像するためのＣＣＤ（Charge Coupled Device）撮像素子、ＣＭＯＳ（Complementary Metal Oxide Semiconductor）撮像素子等の監視カメラ２１０と、当該籠内に人物が居るか否かを検知するための赤外線センサ等の人感センサ２１１とがそれぞれ備えられている。
【００２３】
さらに、ホールモニタ２２ａ、２２ｂ、・・・には、居住者の個人認証データが予め登録された個人認証装置２２０がそれぞれ一体または別体、ここでは、一体で設けられている。
【００２４】
なお、図１のシステム説明図に示す前述の各機器のうち、集合玄関機１の呼出機能および通話機能、管理室親機２０の呼出機能および通話機能、個人認証装置２２０が一体で設けられているホールモニタ２２ａ、２２ｂ、・・・の出画機能、エレベータ制御機２３の制御機能に関する構成の説明はそれぞれ省略するものとし、以下、（複数の）居室親機１１ａ、１１ｂ、・・・、１２ａ、１２ｂ、・・・、・・・およびインターホン制御機２４の具体的な構成について説明する。
【００２５】
図２は、本発明の実施例による集合住宅インターホンシステムにおいて、（複数の）居室親機１１ａ、１１ｂ、・・・、１２ａ、１２ｂ、・・・、・・・の具体的な構成を示すブロック図である。
【００２６】
図２のブロック図に示す（複数の）居室親機１１ａ、１１ｂ、・・・、１２ａ、１２ｂ、・・・、・・・はそれぞれ同様な構成であり、当該居室親機の構成各部／回路を制御するためのＣＰＵ（Central Processing Unit、以下、親機ＣＰＵという。）１１０と、来訪者または管理人からの呼び出しがある旨の呼出音（音声メッセージを含む。）を放音するとともに、居住者が呼出元である来訪者または管理人、或いは呼出先である管理人との間で通話を成立させるための通話機能として音声（受話音声）を出力するスピーカ１１１と、スピーカ１１１とともに居住者による通話機能を構成し、呼出元である来訪者または管理人、或いは呼出先である管理人との間で通話を成立させるにあたり居住者が音声（送話音声）を入力するためのマイク１１２と、スピーカ１１１およびマイク１１２を使用した通話成立時において、その通話路を形成するための通話回路１１３と、集合玄関機１にて撮像された映像（詳述せず）、（２台の）籠２１ａ、２１ｂ内の監視カメラ２１０にて撮像された映像をそれぞれ出画するとともに、呼出機能が能動にされた集合玄関機１または管理室親機２０からの呼び出しがある旨の呼出情報や（２台の）籠２１ａ、２１ｂ内の人感センサ２１１にて検知された検知結果等を表示するためのＬＣＤ、有機ＥＬディスプレイ等のモニタ（以下、親機モニタという。）１１４と、親機モニタ１１４を駆動させて出画／表示可能な状態に制御するためのモニタ駆動回路１１５と、籠２１ａ、２１ｂのうち何れか１の当該籠を自居室親機が在る階へと昇降（呼出制御）させるようなエレベータコール操作が居住者により行われるタッチパネル、キーボタン等の操作部１１６と、親機ＣＰＵ１１０、通話回路１１３および親機モニタ１１４の構成各部／回路と居室親機ラインＬ2の間の信号伝送路をそれぞれ形成するためのインターフェース（以下、親機Ｉ／Ｆという。）１１７とが備えられている。
【００２７】
図３は、本発明の実施例による集合住宅インターホンシステムにおいて、インターホン制御機２４の具体的な構成を示すブロック図である。
【００２８】
図３のブロック図に示すインターホン制御機２４は、当該インターホン制御機の構成各部／回路を制御するためのＣＰＵ（以下、制御機ＣＰＵという。）２４０と、全ての居室親機１１ａ、１１ｂ、・・・、１２ａ、１２ｂ、・・・、・・・および管理室親機２０に割り当てられた住戸ＩＤおよび管理室ＩＤが予め登録されており、操作部１１６にてエレベータコール操作が行われた当該居室親機およびその設置階を制御機ＣＰＵ２４０にて検出するために参照されるテーブル２４１と、居室親機１１ａ、１１ｂ、・・・、１２ａ、１２ｂ、・・・、・・・の操作部１１６にてエレベータコール操作が行われた時刻を制御機ＣＰＵ２４０にて確認（判別）させるための時計２４２と、居室親機１１ａ、１１ｂ、・・・、１２ａ、１２ｂ、・・・、・・・の操作部１１６にてエレベータコール操作が行われた時点から所定時間内の計時を行うためのタイマ２４３と、居室親機１１ａ、１１ｂ、・・・、１２ａ、１２ｂ、・・・、・・・の操作部１１６にてエレベータコール操作が行われた時刻が当該居室親機の親機モニタ１１４および／またはホールモニタ２２ａ、２２ｂ、・・・の出画可能な時間帯であるか否かを制御機ＣＰＵ２４０にて確認（判別）させるにあたり、その有効時間帯が予め設定されているＲＡＭ（Random Access Memory）、ＥＥＰＲＯＭ（Electrically Erasable Programmable Read Only Memory）等のメモリ２４４と、制御機ＣＰＵ２４０および玄関機ラインＬ1の間の信号伝送路を形成するためのインターフェース（以下、第１の制御機Ｉ／Ｆという。）２４５と、制御機ＣＰＵ２４０および居室親機ラインＬ2の間の信号伝送路を形成するためのインターフェース（以下、第２の制御機Ｉ／Ｆという。）２４６と、制御機ＣＰＵ２４０および管理室親機ラインＬ3の間の信号伝送路を形成するためのインターフェース（以下、第３の制御機Ｉ／Ｆという。）２４７と、制御機ＣＰＵ２４０および各カメララインＬ4a、Ｌ4bの間の信号伝送路をそれぞれ形成するためのインターフェース（以下、第４の制御機Ｉ／Ｆという。）２４８と、制御機ＣＰＵ２４０および各センサラインＬ5a、Ｌ5bの間の信号伝送路をそれぞれ形成するためのインターフェース（以下、第５の制御機Ｉ／Ｆという。）２４９と、制御機ＣＰＵ２４０およびモニタラインＬ6の間の信号伝送路を形成するためのインターフェース（以下、第６の制御機Ｉ／Ｆという。）２５０と、制御機ＣＰＵ２４０および制御機間ラインＬ7の間の信号伝送路を形成するためのインターフェース（以下、第７の制御機Ｉ／Ｆという。）２５１とが備えられている。
【００２９】
このように構成された本発明の実施例による集合住宅インターホンシステムにおいて、以下、具体的な動作について説明する。
【００３０】
なお、本発明の実施例において、集合玄関に居る来訪者が集合玄関機１にて所定の呼出操作を行い、居室親機１１ａ、１１ｂ、・・・、１２ａ、１２ｂ、・・・、・・・がそれぞれ設置されている複数の階毎の各住戸内に在室中の居住者のうち特定の居住者を呼び出して通話を成立させる、または管理室親機２０が設置されている管理室内に在室中の管理人を呼び出して通話を成立させる動作と、特定の居住者および管理人の間で相互に呼び出し、通話を成立させる動作とは、種々の集合住宅用インターホン関連技術に開示されている内容の動作と同様であることから、その説明は省略する。
【００３１】
図１のシステム説明図において、居室親機１１ａ、１１ｂ、・・・、１２ａ、１２ｂ、・・・、・・・がそれぞれ設置されている複数の階毎の各住戸内に在室中の居住者のうち、例えば、２階で居室親機１２ａが住戸内に設置されている居住者が、図２のブロック図に示す操作部１１６にて所定のエレベータコール操作を行うと、この操作を検出した親機ＣＰＵ１１０は、自居室親機に割り当てられている住戸ＩＤを付加させたエレベータコール信号を生成する。このエレベータコール信号は、親機ＣＰＵ１１０から親機Ｉ／Ｆ１１７、居室親機ラインＬ2、図３のブロック図に示すインターホン制御機２４の第２の制御機Ｉ／Ｆ２４６を介して制御機ＣＰＵ２４０へと伝送されるとともに、親機ＣＰＵ１１０から親機Ｉ／Ｆ１１７、居室親機ラインＬ2、居室親機１２ａを除く他の居室親機１１ａ、１１ｂ、・・・、１２ｂ、・・・、・・・の親機Ｉ／Ｆ１１７を介して親機ＣＰＵ１１０へとそれぞれ伝送される。
【００３２】
なお、図１のシステム説明図において、（エレベータコール操作元の）居室親機１２ａを除く他の居室親機１１ａ、１１ｂ、・・・、１２ｂ、・・・、・・・の親機ＣＰＵ１１０は、伝送されてきたエレベータコール信号がインターホン制御機２４からの出力信号でないことから、当該エレベータコール信号を無効であるとそれぞれ判断する。
【００３３】
図３のブロック図に示すインタホーン制御機２４の制御機ＣＰＵ２４０は、伝送されてきたエレベータコール信号に付加されている住戸ＩＤとテーブル２４１に予め登録されている全ての住戸ＩＤとを照合し、エレベータコール操作元の住戸が２階で居室親機１２ａが住戸内に設置されている住戸であることを検出するとともに、この検出時刻（以下、エレベータコール時刻という。）を時計２４２を参照して確認（判別）し、さらにタイマ２４３を制御して所定時間の計時を開始させる。また、制御機ＣＰＵ２４０は、（２台の）籠２１ａ、２１ｂのうち何れか１の当該籠をエレベータコール操作元の住戸が在る２階へと昇降させるためのエレベータ制御信号を生成する。このエレベータ制御信号は、制御機ＣＰＵ２４０から第７の制御機Ｉ／Ｆ２５１、制御機間ラインＬ7を介して図１のシステム説明図に示すエレベータ制御機２３へと伝送される。
【００３４】
図１のシステム説明図に示すエレベータ制御機２３は、インターホン制御機２４からのエレベータ制御信号を検出すると、（２台の）籠２１ａ、２１ｂのうち、エレベータコール操作元の住戸が在る２階に近い位置の当該籠、ここでは、籠ラインＬ8aを介して接続されている籠２１ａを到着階である２階へと昇降させるように呼出制御するとともに、昇降先の籠２１ａに割り当てられているエレベータＩＤを付加させた昇降先情報信号を生成する。この昇降先情報信号は、前述のエレベータ制御信号と逆の経路を介して図３のブロック図に示すインターホン制御機２４の制御機ＣＰＵ２４０へと伝送される。
【００３５】
また、図３のブロック図に示すインターホン制御機２４の制御機ＣＰＵ２４０は、エレベータ制御機２３からの昇降先情報信号に付加されているエレベータＩＤをもとに、到着階である２階へと昇降された当該籠が籠２１ａであることを検出し、籠２１ａ内の監視カメラ２１０を駆動させるためのカメラ制御信号を生成する。このカメラ制御信号は、制御機ＣＰＵ２４０から第４の制御機Ｉ／Ｆ２４８、カメララインＬ4aを介して図１のシステム説明図に示す籠２１ａ内の監視カメラ２１０へと伝送され、監視カメラ２１０を駆動させることができる。この監視カメラ２１０にて撮像された映像、すなわち、籠２１ａ内の映像は、適宜、監視映像信号に信号処理された後、前述のカメラ制御信号と逆の経路を介してインターホン制御機２４の制御機ＣＰＵ２４０へと伝送される。
【００３６】
さらに、図３のブロック図に示すインターホン制御機２４の制御機ＣＰＵ２４０は、籠２１ａ内の監視カメラ２１０からの監視映像信号にテーブル２４１を参照して読み出されたエレベータコール操作元である居室親機１２ａに割り当てられている住戸ＩＤを付加させた監視映像転送信号（以下、第１の監視映像転送信号という。）を生成するとともに、前述の監視映像信号にテーブル２４１から参照して読み出されたエレベータコール操作元の住戸の在る２階のエレベータホールに設置されているホールモニタ２２ｂを指定するためのモニタＩＤを付加させた監視映像転送信号（以下、第２の監視映像転送信号という。）を生成する。これら第１、第２の各監視映像転送信号のうち第１の監視映像転送信号は、制御機ＣＰＵ２４０から第２の制御機Ｉ／Ｆ２４６、居室親機ラインＬ2を介して図２のブロック図に示す全ての居室親機１１ａ、１１ｂ、・・・、１２ａ、１２ｂ、・・・、・・・の親機Ｉ／Ｆ１１７へとそれぞれ伝送される。一方、第２の監視映像転送信号は、制御機ＣＰＵ２４０から第６の制御機Ｉ／Ｆ２５０、モニタラインＬ6を介して図１のシステム説明図に示す全てのホールモニタ２２ａ、２２ｂ、・・・へとそれぞれ伝送される。
【００３７】
図２のブロック図において、全ての居室親機１１ａ、１１ｂ、・・・、１２ａ、１２ｂ、・・・、・・・の親機ＣＰＵ１１０は、親機Ｉ／Ｆ１１７にて受信されたインターホン制御機２４からの第１の監視映像転送信号に付加されている住戸ＩＤと自居室親機に割り当てられている住戸ＩＤとを比較し、一致した場合にのみ当該第１の監視映像転送信号を有効であると判断してモニタ駆動回路１１５を制御し、親機モニタ１１４を出画可能な状態にするとともに、居室親機ラインＬ2から親機Ｉ／Ｆ１１７を介して親機モニタ１１４への信号伝送路を形成することにより、第１の監視映像転送信号に付加されている監視映像信号、すなわち、籠２１ａ内の監視カメラ２１０にて撮像された映像を親機モニタ１１４に出画させることができる。ここでは、エレベータコール操作元である居室親機１２ａのみ当該住戸ＩＤが一致し、籠２１ａ内の監視カメラ２１０にて撮像された映像を親機モニタ１１４に出画させることができる。
【００３８】
また、図１のシステム説明図において、全てのホールモニタ２２ａ、２２ｂ、・・・は、インターホン制御機２４からの第２の監視映像転送信号に付加されているモニタＩＤと自ホールモニタに割り当てられているモニタＩＤとを照合し、一致した場合にのみ当該第２の監視映像転送信号を有効であると判断し、第２の監視映像転送信号に付加されている監視映像信号、すなわち、籠２１ａ内の監視カメラ２１０にて撮像された映像を出画させることができる。ここでは、エレベータコール操作元の住戸の在る２階のエレベータホールに設置されているホールモニタ２２ｂのみ当該住戸ＩＤが一致し、籠２１ａ内の監視カメラ２１０にて撮像された映像を出画させることができる。
【００３９】
前述のように、エレベータコール操作元の居住者は、自住戸内に設置された図２のブロック図に示す居室親機１２ａの親機モニタ１１４に出画されている映像、または２階のエレベータホールに設置された図１のシステム説明図に示すホールモニタ２２ｂに出画されている映像をもとに、到着階である２階へと昇降させた籠２１ａ内の様子を当該籠を利用する前に確認することができ、特に、籠２１ａ内に不審者等の招かれざる人物が居ることを予め確認した場合には、当該籠の利用を中止でき防犯性および安全性が高められる。なお、居室親機１２ａの親機モニタ１１４およびホールモニタ２２ｂへの前述の出画動作は、親機ＣＰＵ１１０の制御および／または図３のブロック図に示すインターホン制御機２４の制御機ＣＰＵ２４０の制御により、所定時間の経過後のタイミングで停止されて待受状態に復旧する。
【００４０】
次に、前述までの説明では、図１のシステム説明図に示す籠２１ａ内の監視カメラ２１０にて撮像された映像をホールモニタ２２ｂに出画させるタイミングを、図３のブロック図に示すインターホン制御機２４の制御機ＣＰＵ２４０の制御により籠２１ａ内の監視カメラ２１０への駆動と同一のタイミングとしたが、この場合、エレベータコール操作元の居住者が２階のエレベータホールに到着するまでの間も籠２１ａ内の監視カメラ２１０にて撮像された映像がホールモニタ２２ｂに出画され、籠２１ａ内の人物、例えば、居住者や来訪者等のプライバシーを侵害する虞がある。これを解消するにあたり、インターホン制御機２４の制御機ＣＰＵ２４０は、タイマ２４３にて計時されている前述の所定時間が経過した後のタイミングで、前述の第２の監視映像転送信号を第６の制御機Ｉ／Ｆ２５０、モニタラインＬ6を介して全てのホールモニタ２２ａ、２２ｂ、・・・に出力することにより、エレベータコール元の居住者が２階のエレベータホールに到着するまでの間、籠２１ａ内の監視カメラ２１０にて撮像された映像がホールモニタ２２ｂに出画されることを防止でき、籠２１ａ内の人物、例えば、居住者や来訪者等のプライバシーが保護される。
【００４１】
また、前述までの説明において、図１のシステム説明図に示す籠２１ａ内の監視カメラ２１０にて撮像された映像をホールモニタ２２ｂに出画させるにあたっては、図３のブロック図に示すインターホン制御機２４の制御機ＣＰＵ２４０の制御により籠２１ａ内の監視カメラ２１０への駆動と同一のタイミング、またはタイマ２４３にて計時されている前述の所定時間が経過した後のように、制御機ＣＰＵ２４０の制御によって自動的に出画させたが、この場合、エレベータコール操作元の居住者のみならず、第三者、例えば、近隣の他の居住者等も籠２１ａ内の監視カメラ２１０にて撮像された映像を確認することができ、籠２１ａ内の人物、例えば、居住者や来訪者等のプライバシーを侵害する虞がある。これを解消するにあたり、インターホン制御機２４からの第２の監視映像転送信号に付加されているモニタＩＤと自ホールモニタに割り当てられているモニタＩＤとが一致したホールモニタ２２ｂに一体で設けられた個人認証装置２２０にて、エレベータコール操作元の居住者のみが携帯している非接触キーや指紋等の個人認証データをインターホン制御機２４のタイマ２４３にて計時されている前述の所定時間内に照合させ、この照合がエレベータコール操作元の居住者であると認識された場合にのみ籠２１ａ内の映像をホールモニタ２２ｂに出画させることにより、この照合／認識が行われるまでの間、籠２１ａ内の監視カメラ２１０にて撮像された映像がホールモニタ２２ｂに出画されることを防止でき、籠２１ａ内の人物、例えば、居住者や来訪者等のプライバシーが保護される。
【００４２】
また、前述までの説明において、図１のシステム説明図に示す籠２１ａ内の監視カメラ２１０にて撮像された映像をホールモニタ２２ｂに出画させるにあたっては、操作部１１６にてエレベータコール操作が行われた居室親機１２ａからのエレベータコール信号を図３のブロック図に示すインターホン制御機２４の制御機ＣＰＵ２４０にて検出した時刻、すなわち、時計２４２を参照して確認（判別）された前述のエレベータコール時刻によらず、如何なる時間帯においても籠２１ａ内の監視カメラ２１０を駆動し、居室親機１２ａの親機モニタ１１４およびホールモニタ２２ｂを出画可能な状態に制御させたが、この場合、エレベータコール操作元の居住者が映像を確認せずに当該籠を利用とする可能性が高い時間帯、例えば、防犯性および安全性が高いとされる日中帯において籠２１ａ内の監視カメラ２１０にて撮像された映像が居室親機１２ａの親機モニタ１１４およびホールモニタ２２ｂにそれぞれ出画されることになり、籠２１ａ内の人物、例えば、居住者や来訪者等のプライバシーを侵害する虞がある。これを解消するにあたり、インターホン制御機２４の制御機ＣＰＵ２４０は、時計２４２を参照して確認（判別）されたエレベータコール時刻とメモリ２４４に予め設定されている有効時間帯とを照合し、例えば、防犯性および安全性が低いとされる深夜帯や早朝帯の場合にのみ籠２１ａ内の監視カメラ２１０への駆動制御、居室親機１２ａの親機モニタ１１４および／またはホールモニタ２２ｂへの出画制御を行うことにより、防犯性および安全性が高いとされる日中帯に籠２１ａ内の監視カメラ２１０にて撮像された映像が居室親機１２ａの親機モニタ１１４および／またはホールモニタ２２ｂに出画されることを防止でき、籠２１ａ内の人物、例えば、居住者や来訪者等のプライバシーが保護される。
【００４３】
さらに、前述までの説明では、居室親機１２ａの操作部１１６にて行われたエレベータコール操作により昇降される籠２１ａ内の様子を視覚を通じてエレベータコール操作元の居住者が確認するにあたり、その確認手段を籠内２１ａ内の監視カメラ２１０にて撮像された映像をもとに行ったが、これに限定されず、籠内２１ａ内の人感センサ２１１からの検知結果をもとに確認させることができる。
【００４４】
詳述すると、前述のようにエレベータコール操作元の住戸が２階で居室親機１２ａが設置されている住戸であることを検出し、さらにエレベータ制御機２３からの昇降先情報信号に付加されているエレベータＩＤをもとに、２階へと昇降された当該籠が籠２１ａであることを検出した図３のブロック図に示すインタホーン制御機２４の制御機ＣＰＵ２４０は、籠２１ａ内の人感センサ２１１を駆動させるためのセンサ制御信号を生成する。このセンサ制御信号は、制御機ＣＰＵ２４０から第５の制御機Ｉ／Ｆ２４９、センサラインＬ5aを介して図１のシステム説明図に示す籠２１ａ内の人感センサ２１１へと伝送され、人感センサ２１１を駆動させることができる。この人感センサ２１１は、籠２１ａ内に人物が居るか否か検知し、その検知結果が付加され適宜、信号処理された検知情報信号を、前述のセンサ制御信号と逆の経路を介してインターホン制御機２４の制御機ＣＰＵ２４０に出力する。
【００４５】
図３のブロック図に示すインターホン制御機２４の制御機ＣＰＵ２４０は、籠２１ａ内の人感センサ２１１からの検知情報信号にテーブル２４１から参照して読み出されたエレベータコール操作元である居室親機１２ａに割り当てられている住戸ＩＤを付加させた検知情報転送信号を生成する。この検知情報転送信号は、前述の第１の監視映像転送信号と同様な経路を介して図１のシステム説明図に示す全ての居室親機１１ａ、１１ｂ、・・・、１２ａ、１２ｂ、・・・、・・・の親機Ｉ／Ｆ１１７へとそれぞれ伝送される。
【００４６】
図１のシステム説明図において、全ての居室親機１１ａ、１１ｂ、・・・、１２ａ、１２ｂ、・・・、・・・の親機ＣＰＵ１１０は、親機Ｉ／Ｆ１１７にて受信されたインターホン制御機２４からの検知情報転送信号に付加されている住戸ＩＤと自居室親機に割り当てられている住戸ＩＤとを比較し、一致した場合にのみ当該検知情報転送信号を有効であると判断してモニタ駆動回路１１５を制御し、親機モニタ１１４を表示可能な状態にするとともに、居室親機ラインＬ2から親機Ｉ／Ｆ１１７を介して親機モニタ１１４への信号伝送路を形成することにより、検知情報転送信号に付加されている検知結果情報、すなわち、籠２１ａ内の人感センサ２１１にて検知され当該籠内に人物が居るか否かの情報を文字や絵データ等をもとに親機モニタ１１４に表示させることができる。ここでは、エレベータコール操作元である居室親機１２ａのみ当該住戸ＩＤが一致し、籠２１ａ内に人物が居るか否の情報を文字や絵データ等をもとに親機モニタ１１４に表示させることができる。
【００４７】
前述のように、エレベータコール操作元の居住者は、自住戸内に設置された図２のブロック図に示す居室親機１２ａの親機モニタ１１４に表示されている文字や絵データ等をもとに、２階へと昇降させた籠２１ａ内に人物が居るか否かを当該籠を利用する前に確認することができ防犯性および安全性が高められる。なお、居室親機１２ａの親機モニタ１１４への前述の表示動作は、親機ＣＰＵ１１０の制御および／または図３のブロック図に示すインターホン制御機２４の制御機ＣＰＵ２４０の制御により、所定時間の経過後のタイミングで停止されて待受状態に復旧する。
【００４８】
なお、本発明の実施例においては、居住者や来訪者等の人物により乗り入れられる（集合住宅の）複数の階の間を昇降するための籠を、２台の籠２１ａ、２１ｂとして説明したが、この台数に限定されず、少なくとも１台、より複数台の当該籠を設けることもできる。
【００４９】
また、本発明の実施例においては、居住者の個人認証データが予め登録された個人認証装置２２０を、ホールモニタ２２ａ、２２ｂ、・・・に一体で設けたが、これに限定されず、別体で設けることもできる。
【図面の簡単な説明】
【００５０】
【図１】本発明の実施例による集合住宅インターホンシステムの全体構成を示すシステム説明図。
【図２】本発明の実施例による集合住宅インターホンシステムにおいて、居室親機の具体的な構成を示すブロック図。
【図３】本発明の実施例による集合住宅インターホンシステムにおいて、インターホン制御機の具体的な構成を示すブロック図。
【符号の説明】
【００５１】
１……集合玄関機
１１ａ、１１ｂ、・・・、１２ａ、１２ｂ、・・・、・・・ ……（複数の）居室親機
１１４……親機モニタ（モニタ）
２１ａ、２１ｂ……（２台の）籠
２１０……監視カメラ
２１１……人感センサ
２２ａ、２２ｂ、・・・ ……ホールモニタ
２２０……（ホールモニタに一体または別体で設けられた）個人認証装置
２３……インターホン制御機
２４……エレベータ制御機
【図１】
2006154886.tif 000003
【図２】
2006154886.tif 000004
【図３】
2006154886.tif 000005